(57)【特許請求の範囲】
【請求項１】
ベース部と、このベース部上に設けられるハウジング部とを有し、このハウジング部内に複数の電気信号伝送端子が装着されている電気コネクタにおいて、
上記ハウジング部の外壁の周面に沿って装着された金属シェルと、
この金属シェルと別体に設けられ、外部の雌端子に接続するための接続部および金属シェルに押圧される接触部を有するタブ端子と、
このタブ端子をベース部又はハウジング部に保持する保持手段とを備え、
上記タブ端子は上記接続部と接触部との間に四角環状の本体部を有し、
上記保持手段はベース部またはハウジング部に形成され本体部を収容する収容空間を含み、この収容空間には上記本体部内に嵌め合わされる保持突起が設けられていることを特徴とする電気コネクタ。
【請求項２】
上記タブ端子の端部には金属シェルの縁部を弾力的に挟持する一対の挟持片が形成され、各挟持片は上記接触部を含むことを特徴とする請求項１記載の電気コネクタ。
【請求項３】
上記金属シェルは環状をなすために周方向で互いに継ぎ合わされた一対の継ぎ合わせ部を含み、上記タブ端子の端部には金属シェルの一対の継ぎ合わせ部のそれぞれの縁部を弾力的に挟持する各一対の挟持片が形成され、各挟持片は上記接触部を含むことを特徴とする請求項１記載の電気コネクタ。
【請求項４】
上記保持手段は、タブ端子の一対の挟持片間の隙間がハウジング部の外壁の周面と面一となる状態にタブ端子を保持することを特徴とする請求項２又は３記載の電気コネクタ。
【請求項５】
上記タブ端子には、上記接触部を含み且つ接触部の押圧方向に弾性変形可能なばね部が形成されていることを特徴とする請求項１ないし４の何れか一つに記載の電気コネクタ。
【請求項６】
上記ハウジング部内に電源端子およびアース端子が装着されていることを特徴とする請求項１ないし５の何れか一つに記載の電気コネクタ。
【請求項７】
トナーを用いて現像する画像形成装置の本体内に配置されていることを特徴とする請求項１ないし６の何れか一つに記載の電気コネクタ。
【発明の詳細な説明】
【０００１】
【発明の属する技術分野】
本発明はリセプタクル型およびプラグ型の何れの型にも適用できる電気コネクタに関する。
【０００２】
【従来の技術】
従来、リセプタクル型やプラグ型の電気コネクタにおいては、コネクタ接続時にアースを取る対策と、同じくコネクタ接続時に静電気を放電させる対策とを別々に講じていた。
これに対して、信号伝送用端子を収容したハウジング部の外壁の周面をシールド用の金属シェルで覆い、この金属シェルの端部にタブ端子を一体に形成し、この一体に形成されたタブ端子によって、アースと静電気放電とを一括して実施することが提案されている（例えば特開平５−１４４５１５号公報参照）。
【０００３】
【発明が解決しようとする課題】
しかしながら、上記公報のように金属シェルとタブ端子とを一体に形成した場合、下記の▲１▼〜▲３▼の問題があった。すなわち、
▲１▼  金属シェルはハウジング部の外壁により位置決めされる一方、タブ端子はハウジング部に形成されたタブ端子支持孔で位置決めされるため、金属シェルとタブ端子との間で高い位置精度が要求される。ところが、金属シェルとタブ端子を一体に形成する板金加工においては、もともと加工自体が容易ではないうえに、要求される高い位置精度を達成することが困難である。また、タブ端子を形成する部位のために材料の歩留りが悪く不良率が高かった。
▲２▼  タブ端子の部分は、折り返して曲げられることにより重合板状に形成され、いわゆる密着曲げが施されて剛性が高められている。これは、例えばタブ端子厚が５００μｍで供用され、金属シェルは厚さ２５０μｍ程度で供用されることに伴うものである。そして、このように剛性の高いタブ端子を相対的に剛性の弱い金属シェルに一体に形成した場合、タブ端子の基端部に応力が集中し易く、タブ端子が折れてしまうおそれがあった。すなわち、タブ端子はコネクタの外部へ突出する態様で用いられることから、タブ端子の剛性は高いことが望ましいのであるが、高くすると基端部で折れやすくなってタブ端子の破損強度が低下してしまうというジレンマがあった。
▲３▼  タブ端子は耐腐食性を向上させるためにメッキを施されているが、上記のように密着曲げを実施する場合には、事前にメッキを施しておく必要がある。ところが、密着曲げの工程にて、メッキの一部が剥離し易く、結果として耐腐食性に劣るおそれがあった。
【０００４】
本発明は、上記課題に鑑みてなされたものであり、製造時の不良率が低く、またタブ端子の剛性と破損強度をともに高くすることができ、しかも耐腐食性にも優れた電気コネクタを提供することを目的とする。
【０００５】
【課題を解決するための手段】
上記目的を達成するための課題解決手段として、
請求項１記載の発明は、ベース部と、このベース部上に設けられるハウジング部とを有し、このハウジング部内に複数の電気信号伝送端子が装着されている電気コネクタにおいて、上記ハウジング部の外壁の周面に沿って装着された金属シェルと、この金属シェルと別体に設けられ、外部の雌端子に接続するための接続部および金属シェルに押圧される接触部を有するタブ端子と、このタブ端子をベース部又はハウジング部に保持する保持手段とを備えることを特徴とするものである。
【０００６】
この構成では、金属シェルとタブ端子を別体に構成して互いに接触させてあるので、タブ端子を介して、静電気放電とアースとを一括して行うことができる。
また、金属シェルとは無関係にタブ端子としての剛性および強度を十分に高くすることが可能となる。さらに、タブ端子と金属シェルとを個別に形成できるので、加工が容易であり、両者を一体に形成する場合のような高い位置精度も必要ない結果、不良率を少なくすることができる。また、従来行っていたタブ端子の密着曲げを廃止することができるので、タブ端子の板金成形後にメッキを施すことが可能となる結果、耐腐食性を向上することができる。
【０００７】
また、上記タブ端子は上記接続部と接触部との間に四角環状の本体部を有し、上記保持手段はベース部またはハウジング部に形成され本体部を収容する収容空間を含み、この収容空間には上記本体部内に嵌め合わされる保持突起が設けられているので、下記の利点がある。すなわち、タブ端子が四角環状の本体部を有し、いわゆるボックス構造となるので、高い強度を得ることができる。また、このように強度の高い四角環状の本体部を収容空間の内面と保持突起の外面とで内外から保持するので、タブ端子の支持強度を高くすることができる。
【０００８】
請求項２記載の発明は、請求項１において、上記タブ端子の端部には金属シェルの縁部を弾力的に挟持する一対の挟持片が形成され、各挟持片は上記接触部を含むことを特徴とするものである。この構成では、金属シェルの縁部を弾力的に挟持するタブ端子の一対の挟持片にそれぞれ接触部を設けたので、確実な接触と電気的導通が確保される。
【０００９】
請求項３記載の発明は、請求項１において、上記金属シェルは環状をなすために周方向で互いに継ぎ合わされた一対の継ぎ合わせ部を含み、上記タブ端子の端部には金属シェルの一対の継ぎ合わせ部のそれぞれの縁部を弾力的に挟持する各一対の挟持片が形成され、各挟持片は上記接触部を含むことを特徴とするものである。この構成では、金属シェルの一対の継ぎ合わせ部をそれぞれ一対の挟持片で弾力的に挟持するので、継ぎ合わせ部同士が互いに離脱するのを防止することができる。また、二対の挟持片のそれぞれに接触部を設けるので、確実な接触と電気的導通が確保される。
【００１０】
請求項４記載の発明は、請求項２又は３において、上記保持手段は、タブ端子の一対の挟持片間の隙間がハウジング部の外壁の周面と面一となる状態にタブ端子を保持することを特徴とするものである。この構成では、本電気コネクタを組み立てるとき、まず、保持手段によってタブ端子を保持すると、タブ端子の一対の挟持片間の隙間がハウジング部の外壁の周面と面一になる。ついで、ハウジング部の外壁の周面に沿って金属シェルを嵌めると、金属シェルの縁部がタブ端子の一対の挟持片間の隙間に自動的に導入され、組み付けが完了する。
【００１１】
請求項５記載の発明は、請求項１ないし４の何れか一つにおいて、上記タブ端子には、上記接触部を含み且つ接触部の押圧方向に弾性変形可能なばね部が形成されていることを特徴とするものである。この構成では、タブ端子に設けたばね部に接触部を形成してあるので、タブ端子と金属シェルとの間で確実な接触と電気的導通を確保することができる。
【００１２】
請求項６記載の発明は、請求項１ないし５の何れか一つにおいて、上記ハウジング部内に電源端子およびアース端子が装着されていることを特徴とするものである。この構成では、電源端子、アース端子および電気信号伝送用端子を単一の電気コネクタで一括して保持しシールドすることができるので、これらの端子を別々のコネクタで保持しシールドする場合と比較して、構造を格段に簡素化することができる。
【００１３】
請求項７記載の発明は、請求項１ないし６の何れか一つにおいて、トナーを用いて現像する画像形成装置の本体内に配置されていることを特徴とするものである。この構成では、電気コネクタの静電防止が図られているので、画像形成装置の本体内に浮遊するトナーが、電気コネクタに吸着することを防止することができる。
【００１４】
【発明の実施の形態】
本発明の好ましい実施の形態について添付図面を参照しつつ説明する。
図１は本発明の一実施の形態としての電気コネクタが適用される画像形成装置の内部構成を示す概略断面図である。図１を参照して、画像形成装置１００は、原稿載置面１０１に載置される原稿からの反射光を、既に帯電器１０２により帯電されている感光体ドラム１０３に光学ユニット１０４を介して導き、この感光体ドラム１０３に形成された静電潜像を現像装置１０５によってトナー像に顕像化し、このトナー像を、用紙カセット１０６から用紙搬送路１０７を介して送給される記録シート１０８上に転写器１０９を用いて転写し、この記録シート１０８上に転写されたトナー像を定着装置１１０によって定着させる公知の構成のものである。１１１は転写後に感光体ドラム１０３上に残留するトナーを除去するクリーニング装置である。
【００１５】
上記の帯電器１０２、感光体ドラム１０３、現像装置１０５およびクリーニング装置１１１を部分的にカバー１１２で覆ってプロセスカートリッジ１１３を構成している。このプロセスカートリッジ１１３は、画像形成装置本体１１４に固定された装着部１１５に対して、所定の要領で挿入装着され、また、反対に抜き出しできるようになっている。プロセスカートリッジ１１３には、プラグ型電気コネクタ１が固定されており、画像形成装置本体１１４内の装着部１１５にはリセプタクル型電気コネクタ５０が固定されている。両コネクタ１，５０は、プロセスカートリッジ１１３の挿脱に伴って挿脱されるドロアコネクタとして構成されている。
【００１６】
本実施の形態の主に特徴とするところは、後述するように、タブ端子によってアースと静電気放電とを一括して達成するタイプの電気コネクタにおいて、タブ端子と金属シェルを別体に構成して互いに接続したことにある。このような特徴はリセプタクル型およびプラグ型の何れのコネクタにおいても適用可能であるが、本実施の形態ではプラグ型電気コネクタに適用された例に則して説明する。
【００１７】
図２および図３はそれぞれプラグ型電気コネクタの斜視図および分解斜視図であり、図４（ａ）はプラグ型電気コネクタの平面図であり、図４（ｂ）はプラグ型電気コネクタの概略正面図である。また、図５は図４（ａ）のＶ−Ｖ線に沿う断面図であり、図６は図４（ａ）のＶＩ−ＶＩ線に沿う断面図である。
図２、図３並びに図４（ａ）および（ｂ）を参照して、プラグ型の電気コネクタ１は、矩形形状のベース部２を有し、このベース部２の背面の左右には、本プラグ型電気コネクタ１を電気機器の筐体（本実施の形態では後述するプロセスカートリッジ１１３に相当）に取り付ける為のねじ等の固定部材を貫通させる貫通孔３が設けられている。
【００１８】
上記ベース部２上の表面の中央部にはハウジング部４が設けられている。このハウジング部４は矩形筒状をしており、その内部にはハウジング部４よりも一回り小さくて高さの低い矩形筒状をなす端子収容部５が設けられている。図４（ａ）および図５に示すように、この端子収容部５の対向する一対の内壁面５ａ，５ｂのそれぞれに、複数の電気信号伝送用端子６が並んで設けられている。これらの電気信号伝送用端子６は図２に示すリード線群２６に接続されている。
【００１９】
また、図４（ａ）および図６を参照して、ハウジング部４内には、端子収容部５の４つの隅角部のそれぞれの近傍位置に、一対の電源端子２７，２７と一対のアース端子２８，２８が収容されている。一対の電源端子２７，２７は互いに端子収容部５の対角線上で対向する一対の隅角部の近傍位置に配置され、一対のアース端子２８，２８は他対の隅角部の近傍位置に配置されている。各端子２７，２８は、ハウジング部４下部に突出する突出部３１内の個別の保持孔３２に収容された状態で、上半部をハウジング部４内に露出させている。２９，３０は保持孔３２内で電源端子２７およびアース端子２８にそれぞれ接続されて保持孔３２から導出されるリード線である。
【００２０】
図２、図３および図４（ａ），（ｂ）を参照して、上記ハウジング部４の周状の外壁７の外周面７ａに沿ってこれを取り巻くように四角環状の金属シェル８が装着されている。この金属シェル８は、長尺の平板を折り曲げて、一対の継ぎ合わせ部９，１０同士を互いに継ぎ合わせ、ハウジング部４の外壁７に沿うような四角環状としたものである。継ぎ合わせ部９，１０のそれぞれには、それぞれ面内方向に起伏して互いに係合する凸部と凹部が備えられており、これら凸部と凹部を嵌め合わせた状態で各継ぎ合わせ部９，１０の凸部の要所を肉厚方向にかしめて面内方向に拡げることにより、継ぎ合わせが達成されている。
【００２１】
図２および図３を参照して、上記金属シェル８をハウジング部４に装着した時に、この金属シェル８がハウジング部４に保持されるようにする為、この金属シェル８の対向する一対の面にそれぞれ内方へ切り起こされた止め片１１が形成されている。一方、図３を参照して、ハウジング部４の外壁７には、金属シェル８をハウジング部４の外壁７に装着する際に止め片１１が移動する軌跡に対応して浅い溝１２が形成されており、溝１２の途中部に、止め片１１と係合する突起からなる止め片固定部１３が形成されている。
【００２２】
また、金属シェル８の対向する他対の面には、それぞれ折り返されてくの字状を呈する延設片としての接触ビーム１４が形成されており、これら接触ビーム１４は、金属シェル８がハウジング部４の外壁７に装着された状態で、図４（ａ），（ｂ）に示すように、外壁７の内面よりも突出する状態でハウジング部４の内方に配置される。本プラグ型電気コネクタ１がリセプタクル型電気コネクタ５０と嵌め合わせられたときに、これら接触ビーム１４は、自身のばね性により、そのくの字の頂部がリセプタクル型電気コネクタ５０側の金属シェル（図示せず）に弾力的に押圧され接触されるようになっている。
【００２３】
金属シェル８は、その先端が上記電気信号伝送用端子６の先端より先に臨んだ形でハウジング部４に取り付けられていると共に、この金属シェル８に対して、外部の雌端子１５に接続できるタブ端子１６が、金属シェル８と別体に設けられて、保持部１７に保持されると共に、金属シェル８のベース部２側の縁部（下縁部）に嵌め込み接続されている（図８参照）。
【００２４】
図７はタブ端子１６とこれを保持するための保持部１７とを示す一部破断分解斜視図であり、図８はタブ端子１６と金属シェル８が接続された状態を示す概略図である。図７を参照して、タブ端子１６は、四角環状の本体部１８の両側に、外部の雌端子１５に接続するための接続部１９と、金属シェル８に押圧される接触部２０を有している。
【００２５】
図７および図８を参照して、タブ端子１６の端部には、金属シェル８の一対の継ぎ合わせ部９，１０の下縁部９ａ，１０ａをそれぞれ弾力的に挟持する一対の挟持部２１が形成されており、各挟持部２１，２１はそれぞれＵ字状をなす一対の挟持片２２により構成されている。これらの挟持片２２は、それぞれ上記接触部２０を含むことになる。また、上記一対の挟持片２２，２２はその板面方向に金属シェル８の下縁部を挟持するようになっており、変形等に強い態様にて確実な挟持が行えるようになっいる。
【００２６】
図５および図７を参照して、上記の保持部１７は、ハウジング部４下部とベース部２に跨がる態様にて突設されている。この保持部１７は、挟持部２１，２１および本体部１８を収容した状態で接続部１９を貫通させ露出させる収容空間２３を有しており、この収容空間２３内には、上記四角環状の本体部１８内に嵌め合わされる断面四角形形状の保持突起２４が設けられている。この保持突起２４の上半部は二股板状に分岐された弾性部２４ａを構成しており、この弾性部２４ａは先細り状となっていることから、タブ端子１６の本体部１８内に導入されるときに該導入をスムーズに案内する役目を果たす。
【００２７】
ハウジング部４の外壁７の周面には、タブ端子１６が収容空間２３へ装着されるのを案内する案内溝２５が外壁７の上縁から下方に延びるように形成されている。この案内溝２５の幅は、タブ端子１６の本体部１８の幅および両挟持部２１，２１外面同士間の幅に等しくなるように設定されているので、タブ端子１６を収容空間２３に装着する際に、スムーズに装着することができる。
【００２８】
そして、図９に示すように、タブ端子１６を収容空間２３に保持させた状態で、タブ端子１６の挟持片２２，２２間の隙間ｓがハウジング部４の外壁７の外周面７ａに面一となることから、続いてハウジング部４の外壁７の周面に沿って上方から金属シェル８を嵌め入れると、金属シェル８の下縁部がタブ端子１６の一対の挟持片２２，２２間の隙間ｓに自動的に導入され、組み付けが完了する。
【００２９】
したがって、金属シェル８をハウジング部４に組み入れる通常の組み立て動作を行えば、自動的に金属シェル８とタブ端子１６との組み付けも完了でき、組み立て作業を非常に容易に且つ確実に行うことができる。しかも、この組み入れ時に、タブ端子１６については、ボックス構造の本体部１８を収容空間２３に嵌め入れているだけでなく、本体部１８内に保持突起２４を嵌め入れてあって強固な保持がなされているので、金属シェル８との組合せ時に破損や異常な変形を生じたりすることがない。
【００３０】
以上説明したように、本実施の形態では、金属シェル８とタブ端子１６を別体に構成して互いに接触させてあるので、タブ端子１６を介して、静電気放電とアースとを一括して行うことができる。また、金属シェル８とは無関係にタブ端子１６としての剛性および強度を十分に高くすることが可能となる。さらに、タブ端子１６と金属シェル８とを個別に形成できるので、加工が容易であり、両者８，１６を一体に形成する場合のような高い位置精度も必要ない。その結果、製品不良率を少なくすることができる。
【００３１】
また、従来のように金属シェルとタブ端子を一体に形成する場合には、タブ端子の剛性を確保するために、いわゆる密着曲げなる板金加工を行っており、この板金加工の前にメッキを施す必要があったため、板金加工時にメッキ剥げが生じていた。これに対して、本実施の形態では、密着曲げを不要にでき、タブ端子の板金加工後にメッキを施すことが可能となるので、メッキ剥げを防止できる結果、耐腐食性を向上することができる。
【００３２】
また、タブ端子１６が四角環状の本体部１８を有し、いわゆるボックス構造となるので、高い強度を得ることができる。また、このように強度の高い四角環状の本体部１８を収容空間２３内の保持突起２４に嵌め合わせるので、タブ端子１６の支持強度を格段に高くすることができる。これによりタブ端子１６の耐久性を向上することができる。
【００３３】
また、タブ端子１６の一対の挟持片２２，２２間に金属シェル８の下縁部を弾力的に挟持し、この部分に接触部２０を設けてあるので、確実な接触と電気的導通が確保される。
また、金属シェル８の一対の継ぎ合わせ部９，１０をそれぞれ一対の挟持片２２で弾力的に挟持するので、継ぎ合わせ部９，１０同士が互いに離脱するのを防止することができる。また、二対の挟持片２２のそれぞれに接触部２０を設けるので、一層確実な接触と電気的導通が確保される。
【００３４】
また、本プラグ型電気コネクタ１を組み立てるときに、ハウジング部４の外壁７の周面に沿って金属シェル８を嵌めると、収容空間２３に予め保持されたタブ端子１６の各一対の挟持片２２，２２間の隙間ｓに自動的に導入されて組み付けが完了するので、組み立てが非常に簡単である。
また、タブ端子１６に設けた各挟持片２２・・は、先端側を自由端として片持ち支持されたばね部となっており、このばね部に接触部２０を形成してあるので、タブ端子１６と金属シェル８との間での確実な接触と電気的導通の確保に一層寄与することができる。
【００３５】
また、電源端子２７、アース端子２８および電気信号伝送用端子６を単一の電気コネクタ（本実施形態ではプラグ型電気コネクタ）内に組み込んであるので、単一のハウジング部４を用いてこれらの端子２７，２８，６を一括して保持し、また単一の金属シェル８を用いてこれらの端子２７，２８，６を一括してシールドすることができる。したがって、これらの端子を別々のコネクタで保持しシールドする場合と比較して、構造を格段に簡素化することができる。
【００３６】
さらには、本プラグ型電気コネクタ１を画像形成装置本体１１４内に組み込んであり、画像形成装置本体１１４内に浮遊するトナーが当該電気コネクタ１に吸着することを、その静電防止作用により確実に防止することができる。
なお、本発明は上記の実施の形態に限定されるものではなく、例えば、上記実施の形態では、タブ端子１６に設けた一対の挟持片２２，２２にて挟み込む部分にそれぞれ接触部２０を設けたが、このように挟み込む態様に限らず、例えば、図１０（ａ）に示すように、タブ端子３３の山形に屈曲された部分３４の頂部からなる接触部２０を金属シェル８の一方側から弾力的に押し付けて接触を確保するようにしても良い。また、図１０（ｂ）に示すように折り返し端部に山形に屈曲される部分３５を形成しても良い。
【００３７】
また、本発明をリセプタクル型電気コネクタに適用することができる。さらに、本発明は画像形成装置に限らず、各種の電気機器の電気コネクタに用いることができる。その他、本発明の範囲で種々の変更を施すことができる。
【００３８】
【発明の効果】
請求項１記載の発明では、金属シェルとは無関係にタブ端子としての剛性および破損強度を十分に高くすることが可能となる。また、タブ端子と金属シェルとを個別に形成できるので、加工が容易であり、両者を一体に形成する場合のような高い位置精度も必要ない結果、不良率を低くすることができる。さらに、タブ端子の板金成形後にメッキを施すことが可能となるので、成形時のメッキ剥げを防止できる結果、耐腐食性を向上することができる。
【００３９】
また、タブ端子が四角環状の本体部を有し、いわゆるボックス構造となるので、高い強度を得ることができる。また、このように強度の高い四角環状の本体部の内外周を保持することにより、タブ端子の支持強度を高くすることができる。
請求項３記載の発明では、金属シェルの縁部を弾力的に挟持するタブ端子の一対の挟持片にそれぞれ接触部を設けたので、確実な接触と電気的導通が確保される。
【００４０】
請求項３記載の発明では、金属シェルの一対の継ぎ合わせ部をそれぞれ一対の挟持片で弾力的に挟持するので、継ぎ合わせ部同士が互いに離脱するのを防止することができる。また、二対の挟持片のそれぞれに接触部を設けるので、確実な接触と電気的導通が確保される。
請求項４記載の発明では、本電気コネクタを組み立てるとき、まず、保持手段によってタブ端子を保持すると、タブ端子の一対の挟持片間の隙間がハウジング部の外壁の周面と面一になる。ついで、ハウジング部の外壁の周面に沿って金属シェルを嵌めると、金属シェルの縁部がタブ端子の一対の挟持片間の隙間に自動的に導入され、組み付けが完了する。
【００４１】
請求項５記載の発明では、タブ端子に設けたばね部に接触部を形成してあるので、タブ端子と金属シェルとの間で確実な接触と電気的導通を確保することができる。
請求項６記載の発明では、電源端子、アース端子および電気信号伝送用端子を単一の電気コネクタで一括して保持しシールドすることができるので、これらの端子を別々のコネクタで保持しシールドする場合と比較して、構造を格段に簡素化することができる。
【００４２】
請求項７記載の発明では、電気コネクタの静電防止が図られているので、画像形成装置内に浮遊するトナーが、電気コネクタに吸着することを防止することができる。
【図面の簡単な説明】
【図１】本発明の一実施の形態に係る電気コネクタが用いられる画像形成装置の内部構成を示す概略断面図である。
【図２】プラグ型電気コネクタの斜視図である。
【図３】プラグ型電気コネクタの分解斜視図である。
【図４】（ａ）はプラグ型電気コネクタの平面図であり、（ｂ）はプラグ型電気コネクタの概略正面図である。
【図５】図４（ａ）のＶ−Ｖ線に沿う縦断面図である。
【図６】図４（ａ）のＶＩ−ＶＩ線に沿う断面図である。
【図７】タブ端子およびこれを保持する保持部の分解斜視図である。
【図８】互いに接続された金属シェルとタブ端子の正面図である。
【図９】タブ端子が取り付けられた状態で金属シェルを取り付ける工程を示すプラグ型電気コネクタの一部破断側面図である。
【図１０】（ａ）および（ｂ）はタブ端子と金属シェルとの接続態様の変更例をそれぞれ示す概略図である。
【符号の説明】
１    プラグ型電気コネクタ
２    ベース部
４    ハウジング部
７    外壁
７ａ  外周面
８    金属シェル
９，１０  継ぎ合わせ部
９ａ，１０ａ  下縁部
１５  雌端子
１６  タブ端子
１７  保持部
１８  本体部
１９  接続部
２０  接触部
２１  挟持部
２２  挟持片
２３  収容空間
２４  保持突起
２７  電源端子
２８  アース端子
３３  タブ端子
５０  リセプタクル型電気コネクタ
１００  画像形成装置
１０５  現像装置
１１３  プロセスカートリッジ
１１４  画像形成装置本体
１１５  装着部
Ｔ    トナー
【図１】
0003943202.tif 000002
【図２】
0003943202.tif 000003
【図３】
0003943202.tif 000004
【図４】
0003943202.tif 000005
【図５】
0003943202.tif 000006
【図６】
0003943202.tif 000007
【図７】
0003943202.tif 000008
【図８】
0003943202.tif 000009
【図９】
0003943202.tif 000010
【図１０】
0003943202.tif 000011